(57)【特許請求の範囲】
【請求項１】
尿試料中にイオン性界面活性剤を含有させることを特徴とする尿中蛋白及び尿中ペプチドの安定化方法。
【請求項２】
イオン性界面活性剤が、ドデシル硫酸ナトリウム、ドデシルトリメチルアンモニウムクロライド、トリエタノールアミンラウリル硫酸塩、ラウロイルサルコシン酸ナトリウム、ドデシルトリメチルアンモニウムブロマイド及びセチルトリメチルアンモニウムブロマイドからなる群から少なくとも１種選択される請求項１記載の尿中蛋白及び尿中ペプチドの安定化方法。
【請求項３】
イオン性界面活性剤の濃度が、０．００５〜２重量％の範囲である請求項１記載の尿中蛋白及び尿中ペプチドの安定化方法。
【請求項４】
炭酸塩及び／又は炭酸水素塩を含有させる請求項１乃至３記載の尿中蛋白及び尿中ペプチドの安定化方法。
【請求項５】
炭酸塩又は炭酸水素塩が、炭酸ナトリウム、炭酸カリウム、炭酸ナトリウム・カリウム、炭酸水素ナトリウム、炭酸水素カリウム及び炭酸水素アンモニウムから成る群から選択される少なくとも１種である請求項４記載の尿中蛋白及び尿中ペプチドの安定化方法。
【請求項６】
炭酸塩又は炭酸水素塩の含有量が１０〜５００ｍＭの範囲である請求項４記載の尿中蛋白及び尿中ペプチドの安定化方法。
【請求項７】
尿中蛋白及び尿中ペプチドが、Ｃ−ペプチド、塩基性胎児蛋白、α2−マクログロブリン、β2−マイクログロブリン、 副甲状腺ホルモン及びフィブロネクチンから成る群から選択される請求項１乃至６記載の尿中蛋白及び尿中ペプチドの安定化方法。
【請求項８】
ドデシル硫酸ナトリウムの濃度が、０．０１〜１．０重量％である請求項１記載の尿中Ｃ−ペプチドの安定化方法。
【請求項９】
イオン性界面活性剤を含有することを特徴とする尿中蛋白及び尿中ペプチドの安定化剤。
【請求項１０】
イオン性界面活性剤及び炭酸塩及び／又は炭酸水素塩を含有することを特徴とする請求項９に記載の尿中蛋白及び尿中ペプチドの安定化剤。
【請求項１１】
イオン性界面活性剤を含む尿試料中の蛋白又はペプチドと抗蛋白抗体又は抗ペプチド抗体とを反応させることを特徴とする尿中蛋白又は尿中ペプチドの免疫学的測定方法。
【請求項１２】
イオン性界面活性剤及び炭酸塩及び／又は炭酸水素塩を含むことを特徴とする請求項１１記載の尿中蛋白及び尿中ペプチドの免疫学的測定方法。
【発明の詳細な説明】
【０００１】
【発明の属する技術分野】
本発明は、測定対象の尿中蛋白及び尿中ペプチドを長時間安定に維持する安定化方法及びこれに使用する組成物並びに安定化した尿中蛋白又は尿中ペプチドの測定方法に関する。
【０００２】
【従来の技術】
尿中蛋白及び尿中ペプチド（以下、尿中蛋白と総称する。）の定量による病態診断は、採血による患者負担がないこと及び肝炎やエイズの感染の危険性が低いことから、今後益々発展する診断方法である。診断に用いられる尿中蛋白としては、インスリン分泌量のマーカーであるＣ−ペプチド、癌マーカーである塩基性胎児蛋白、腎後性出血マーカーのα2マクログロブリン、腎血流量の低下と尿細管障害を反映するβ2マイクログロブリン、さらに副甲状腺ホルモン、フィブロネクチン等が挙げられる。
【０００３】
しかしながら、これらの尿中蛋白の測定において問題となるのは、尿検体保存における蛋白の安定性である。尿に含まれる蛋白質は、血清に比べてはるかに微量であり、分析物の保護作用は弱い。またｐＨも変動しやすく、酸性の尿では尿中蛋白の安定性が著しく低下することが知られている。採取直後の尿を凍結すれば尿中蛋白は安定するが、測定時に解凍の手間を要すること、一定時間ごとに尿を採取し累積する２４時間尿においては作業が煩雑すぎて実施が困難などの問題がある。
【０００４】
このため、尿へ牛アルブミンの添加、炭酸水素塩の添加（特開平１１−６０６００，特開２０００−２２１１９０）、還元性酸素酸塩及び／又はイソチアゾロン系化合物の添加（特開２０００−３５２５６５）又防腐剤としてアジ化ナトリウムの添加等が試みられてきた。しかしながら、これらの方法をもってしても、一部の尿中蛋白の安定化には十分ではなかった。
【０００５】
【発明が解決しようとする課題】
本発明の課題は、尿中蛋白安定化の方法及びそのための組成物を提供することである。
【０００６】
本発明は、上記の課題に着目してなされたものであって、特殊な試薬を要せず、特に尿中蛋白の免疫学的測定方法に適した安定化技術を提供することを目的とする。
【０００７】
【課題を解決するための手段】
この課題は、尿検体にイオン性界面活性剤を添加することにより解決される。本発明者らは鋭意研究を重ねた結果、上記の物質を尿へ添加することにより尿中蛋白が安定化することを見出した。さらに、炭酸塩及び／又は炭酸水素塩は、イオン性界面活性剤との相乗的な安定化効果を有することを見出し、本発明を完成するに至った。
【０００８】
以下、本発明について更に詳細に説明する。
【０００９】
本発明に使用するイオン性界面活性剤は、公知のものの中から適宜選択して使用することができる。その具体例としては、ドデシル硫酸ナトリウム（ＳＤＳ）、ドデシルトリメチルアンモニウムクロライド、トリエタノールアミンラウリル硫酸塩及びラウロイルサルコシン酸ナトリウム等のアニオン系界面活性剤、及びドデシルトリメチルアンモニウムブロマイド、セチルトリメチルアンモニウムブロマイド（ＣＴＡＢ）等のカチオン系界面活性剤が挙げられる。これらは、ＤＮＡ抽出工程で多用される界面活性剤でもある。
【００１０】
これらの１種又は２種以上を組み合わせて尿検体へ添加することにより、尿中蛋白の安定化効果が得られる。添加量は、０．００５〜２重量％の範囲が好ましく、さらに好ましくは０．０１〜０．２重量％の範囲である。０．００５％未満では安定化効果が得られず、２％以上は溶解性に問題を生じる。さらに、これらにトリトンＸ−１００又はＴｗｅｅｎ２０等の非イオン性界面活性剤を０．１％重量以下の濃度となるよう加えてもよい。
【００１１】
イオン性界面活性剤による尿中蛋白の安定化効果の機序は不明であるが、尿のｐＨを一定に維持するものではない。酸性尿では安定化効果が不十分な検体も僅かながら認められるからである。尿のｐＨを弱アルカリに維持する目的には、炭酸塩又は炭酸水素塩を加えることが好ましい。先述したように、炭酸塩及び炭酸水素塩は、単なるｐＨ維持以上の尿中蛋白安定化効果を有している。炭酸塩又は炭酸水素塩とイオン性界面活性剤を併用することにより、尿中蛋白安定化効果は相乗的に向上する。
【００１２】
炭酸塩としては、炭酸ナトリウム、炭酸カリウム、炭酸ナトリウム・カリウム及び炭酸アンモニウムのいずれか、また炭酸水素塩としては、炭酸水素ナトリウム、炭酸水素カリウム及び炭酸水素アンモニウムのいずれかから選択すればよい。添加濃度は１０〜５００mMの範囲内、好ましくは２５〜２５０mMとなるように含有させる。
【００１３】
尿中の細菌の繁殖を抑止するために、防腐剤をさらに添加しても良い。本発明に使用する防腐剤としては、溶解性に優れるアジ化物が好ましい。アジ化物の具体例としては、アジ化ナトリウム、アジ化カリウム及びアジ化アンモニウムが挙げられる。添加濃度は、０．２％未満が好ましい。
【００１４】
上記の安定化剤の添加により、尿中蛋白は、インスリン分泌量のマーカーであるＣ−ペプチド、癌マーカーの塩基性胎児蛋白、腎後性の出血マーカーのα2マクログロブリン、腎血流量の低下と尿細管障害を反映するβ2マイクログロブリン、さらにフィブロネクチン、副甲状腺ホルモン（ＰＴＨ）と多岐に渡り、尿中蛋白の大部分に有効であることが示唆された。
【００１５】
本発明の安定剤の使用方法は、１．予め試料用試験管に秤量採取しておき、規定量の尿を注入する。２．予め調製した濃縮液を試験管試料に滴下する。などである。濃縮液使用の場合、容量補正が必要になるのに対し、粉末試薬の場合、容量増加は無視できる範囲であり容量補正は特に必要としない。たとえばＳＤＳと炭酸ナトリウムをそれぞれ秤量し均質に混合した粉末試薬を試験管に小分けしておけば、必要時にすぐ使用に供すことができる。畜尿検体の場合は、２Ｌ分の安定剤を小分けした容器に採尿を注ぎ足せばよい。２４時間尿は１〜３Ｌの範囲で変動するものの、本発明の安定剤は有効濃度範囲が広いため、畜尿量の増減により尿中蛋白の安定性が影響されることはない。
【００１６】
本発明によって尿中蛋白を安定化した尿試料は、そのまま公知の免疫学的測定方法に基づく尿中蛋白測定用の試料に供せる。測定方法は特に限定されず、免疫学的凝集反応、競合法、ＲＩＡ、ＩＲＭＡ、ＥＩＡ、ＥＬＩＳＡなど既存の免疫学的測定法の全てに適用可能である。前記尿試料は、ヤッフェ法又は酵素法による尿中クレアチニン測定値に何らの影響も与えない。
【００１７】
尿試料は、用いる試薬の測定可能範囲に応じて適宜希釈して測定用のサンプルとすることが好ましい。希釈には、免疫学的な反応に好適なｐＨや塩濃度を与える希釈溶液を用いても良い。
【００１８】
【発明の効果】
本発明は、尿中蛋白及び尿中ペプチド、特に診断価値の高い各種マーカーの免疫学的測定値を長期間に亘って安定に維持することができる。従って本発明に係る試料を免疫学的測定に用いれば、各種疾患等を高い精度で診断することができる。
【００１９】
【実施例】
以下、実施例によって本発明を更に詳細に説明するが、本発明はこれによって限定されるものではない。
【００２０】
実施例１、Ｃ−ペプチドに対するＳＤＳの安定化効果
尿試料に、０、０．００５，０．０１，０．０５，０．１，０．５，１．０，２．０％となるようＳＤＳ（第一化学薬品）を加えて２５℃に、１日間放置して尿中Ｃ−ペプチドの免疫学的な測定値に与える影響を調べた。
【００２１】
免疫学的な測定には、市販のＣ−ペプチドのＩＲＭＡ用測定キット「ＡｂビーズＣ−ペプチド‘栄研’」（栄研化学（株）製、商品名）を用いた。このキットは125Ｉ標識抗Ｃ−ペプチド抗体を利用した固相サンドイッチ法に基づくＩＲＭＡを行うためのものである。測定操作は次のとおりである。
【００２２】
予め希釈液（１００ｍＭリン酸緩衝液、ｐＨ６．０）で２１倍に希釈した尿試料５０μＬと125Ｉ標識抗体２００μＬとを分注した試験管に抗Ｃ−ペプチド抗体固相化ビーズを投入し、室温で３時間振とう（３０rpm）した。反応液を吸引し、２ｍＬの精製水で３回洗浄し、ウェル型シンチレーションカウンターを用いて各試験管の放射能を測定した。尿試料に代えて標準試料を用いた測定値に基づいてＣ−ペプチド濃度を算出した。対照である凍結保存検体測定値を１００とした相対値を表１に示す。
【００２３】
【表１】
Ｃ−ペプチドの相対測定値（単位相対％）
────────────────────────────────────
ＳＤＳ(％）   0    0.005    0.01    0.05    0.1     0.5     1.0     2.0
────────────────────────────────────
検体１       43      65      84      98      95      91      94      92
検体２       19      87     101     106      97      90     103     100
検体３       92      98     101     101     103      97      94      95
検体４       39     104     113     114     108     110     101     103
検体５       90      96     101     100      97      90     100      98
────────────────────────────────────
【００２４】
表１に示すように、ＳＤＳを０．００５％以上含有させることにより、２５℃保存における尿中Ｃ−ペプチドの安定化効果が確認された。０．０１％以上ならば、ほぼ同等の安定化効果が得られるが、溶解のしやすさを考慮し０．０１〜０．２％を至適濃度と決定した。
【００２５】
実施例２．ＳＤＳ及び炭酸ナトリウムの組み合わせによる安定化効果
０．１％ＳＤＳに炭酸ナトリウムを０，５０，１００ｍＭとなるよう加えた以外は実施例１と同じ条件で、尿中Ｃ−ペプチドの安定性を試験した。結果を表２に示す。
【００２６】
【表２】
Ｃ−ペプチドの相対測定値（単位：相対％）
──────────────────────────────────
Na2CO3(mM)           0     10     25     50    100    250    500
──────────────────────────────────
検体６               84     91     99    102    101    103    102
検体７               76     85    101    100    102     99    100
検体８              101    103    106    101    100    104    105
検体９              103    100     98    101    104    102     97
検体１０             92     98    103    106    105    105    104
──────────────────────────────────
【００２７】
炭酸ナトリウムの添加により、ＳＤＳ単独では安定化が不十分な検体も安定化されることが確認された。
【００２８】
実施例３．尿中β2-マイクログロブリン（β2-Ｍ）の安定化試験
尿試料に、０．０１〜１．０％のＣＴＡＢ及び５０ｍＭの炭酸水素ナトリウムを加えて２５℃１日間放置後、ＬＡ試薬β2-Ｍ（栄研化学・ラテックス凝集法）を用いて常法により、β2-Ｍ値を求めた。結果を表３に示す。
【００２９】
【表３】
0004453999.tif 000002
【００３０】
カチオン系界面活性剤ＣＴＡＢと炭酸水素ナトリウムの組合せにおいても、尿中β2-Ｍに対する安定化効果が確認された。これらの結果より、イオン性界面活性剤さらに炭酸塩及び／又は炭酸水素塩を尿検体に添加することにより、尿中蛋白又は尿中ペプチドが安定化することが示された。